(57)【要約】【課題】結束部材の緩みを抑え、且つハーネスの配索領域の拡大を防止する。【解決手段】ハーネス１２は、一側線状部１５と、他側線状部１６と、一側線状部１５と他側線状部１６との間の中間線状部１７とを一体的に有する。中間線状部１７は、一側線状部１５の他端部１５ａから曲折してハーネス取付部１４に沿って下方へ延びる第１被結束部１８と、他側線状部１６の一端部１６ａから曲折してハーネス取付部１４に沿って下方へ延びる第２被結束部２０とを一体的に有する。結束バンド１３は、第１被結束部１８、第２被結束部２０及びハーネス取付部１４を締め付けて、第１被結束部１８及び第２被結束部２０をハーネス取付部１４に結束する。一側線状部１５と他側線状部１６とは、結束バンド１３よりも上側でハーネス取付部１４に対して直交する略同一直線上に配置される【選択図】図１
2018113789.tif 000002
【特許請求の範囲】
【請求項１】
直線状に延びるハーネス取付部と、
前記ハーネス取付部と交叉して配策されるハーネスと、
前記ハーネスを前記ハーネス取付部に結束する結束部材とを備え、
前記ハーネスは、前記ハーネス取付部へ一側から向かう第１線状部と、前記ハーネス取付部へ他側から向かう第２線状部と、前記第１線状部と前記第２線状部との間の中間線状部とを一体的に有し、
前記中間線状部は、前記第１線状部から曲折して前記ハーネス取付部に沿って延びる第１被結束部と、前記第２線状部から曲折し前記第１被結束部と並行して前記ハーネス取付部に沿って延びる第２被結束部とを有し、
前記結束部材は、前記第１被結束部と前記第２被結束部と前記ハーネス取付部とに巻き付けられて、前記第１被結束部及び前記第２被結束部を前記ハーネス取付部に結束し、
前記第１線状部と前記第２線状部とは、略同一直線上に配置される
ことを特徴とするハーネス取付構造。
【請求項２】
請求項１に記載のハーネス取付構造であって、
前記ハーネス取付部に巻き付けられることなく前記ハーネスの前記第１被結束部と前記第２被結束部とを束ねるハーネス結束部材を備え、
前記結束部材は、前記ハーネス結束部材によって束ねられた前記第１被結束部及び前記第２被結束部と前記ハーネス取付部とに、前記ハーネス結束部材の外側から巻き付けられて、前記第１被結束部及び前記第２被結束部を前記ハーネス取付部に結束する
ことを特徴とするハーネス取付構造。
【発明の詳細な説明】
【技術分野】
【０００１】
本発明は、ハーネス取付部に対してハーネスを取り付けるためのハーネス取付構造に関する。
【背景技術】
【０００２】
特許文献１には、ハーネスプロテクタが記載されている。このハーネスプロテクタは、袋状のハーネス収容部を備えている。ハーネス収容部は、ワイヤハーネスの余長部分をハーネス収容部の長手方向に沿う向きで、必要に応じて折り畳んで収容することができる。
【先行技術文献】
【特許文献】
【０００３】
【特許文献１】特開２０１０−２２１２９号公報
【発明の概要】
【発明が解決しようとする課題】
【０００４】
ところで、直線状に延びるブラケット等のハーネス取付部にハーネスを交叉させた状態で取り付ける際、ハーネス取付部及びハーネスに対して斜め方向（ハーネス取付部及びハーネスと交叉する方向）に結束部材（バンドクリップやテープ等）を巻き付けてハーネス取付部とハーネスとを固定する場合がある。この場合、結束部材をハーネス取付部及びハーネスに対して斜め方向に巻き付けるので、振動等によってハーネスがハーネス取付部に対して並行になる方向に回転する可能性があり、この回転によって結束部材がハーネスとともにハーネス取付部に対して回転してしまい、結束部材によるハーネスの締め付けが緩んでしまうおそれがある。
【０００５】
また、結束部材をハーネス取付部及びハーネスに対して斜め方向に巻き付けるので、ハーネス取付部に対してハーネスを直交させた状態で固定したい場合であっても、ハーネスがハーネス取付部に対して傾斜した状態で固定されてしまう可能性がある。このため、ハーネス取付部に対してハーネスを直交させる場合に比べて、ハーネスを配策するために必要な領域（以下、配索領域という）がハーネス取付部の延設方向に拡がってしまうので、ハーネスが周辺部品と干渉してしまうおそれがある。
【０００６】
そこで、本発明は、結束部材の緩みを抑えることができ、且つハーネスの配索領域の拡大を防止することが可能なハーネス取付構造の提供を目的とする。
【課題を解決するための手段】
【０００７】
上記課題を解決するため、本発明のハーネス取付構造は、ハーネス取付部とハーネスと結束部材とを備える。ハーネス取付部は、直線状に延びる。ハーネスは、ハーネス取付部と交叉して配策される。結束部材は、ハーネスをハーネス取付部に結束する。
【０００８】
ハーネスは、ハーネス取付部へ一側から向かう第１線状部と、ハーネス取付部へ他側から向かう第２線状部と、第１線状部と第２線状部との間の中間線状部とを一体的に有する。中間線状部は、第１線状部から曲折してハーネス取付部に沿って延びる第１被結束部と、第２線状部から曲折し第１被結束部と並行してハーネス取付部に沿って延びる第２被結束部とを有する。結束部材は、第１被結束部と第２被結束部とハーネス取付部とに巻き付けられて、第１被結束部及び第２被結束部をハーネス取付部に結束する。第１線状部と第２線状部とは、略同一直線上に配置される。
【０００９】
上記構成では、第１被結束部と第２被結束部とハーネス取付部とが略同一方向（所定方向）に沿って延び、結束部材が第１被結束部と第２被結束部とハーネス取付部とに巻き付けられる。このように、同一方向に沿って延びる第１被結束部と第２被結束部とハーネス取付部とに結束部材を巻き付けるので、結束部材の緩みを防止することができる。
【００１０】
また、第１被結束部と第２被結束部とが並行し、第１線状部と第２線状部とが略同一直線上に配置される。すなわち、第１線状部と第２線状部とが結束部材に対して上記所定方向の同じ側に配置されて直線状に延びるので、ハーネスの配索領域の上記所定方向への拡大を抑えることができ、周辺部品とハーネスとの干渉を防止することができる。
【００１１】
また、上記ハーネス取付構造は、ハーネス結束部材を備えてもよい。ハーネス結束部材は、ハーネス取付部に巻き付けられることなく第１被結束部と第２被結束部とを束ねる。結束部材は、ハーネス結束部材によって束ねられた第１被結束部及び第２被結束部とハーネス取付部とに、ハーネス結束部材の外側から巻き付けられて、第１被結束部及び第２被結束部をハーネス取付部に結束する。
【００１２】
上記構成では、ハーネス結束部材は、ハーネス取付部に巻き付けられることなく第１被結束部と第２被結束部とを束ねるので、結束部材によって第１被結束部及び第２被結束部をハーネス取付部に結束する前に、第１被結束部と第２被結束部とをハーネス結束部材によって予め束ねることができる。このため、ハーネスをハーネス取付部に取り付ける際には、例えば、ハーネスの一部をＵ字状に折り曲げて、その状態（第１被結束部及び第２被結束部を形成した状態）を保持しつつ結束部材によって結束する場合とは異なり、予め束ねられた第１被結束部及び第２被結束部を結束部材によってハーネス取付部に結束するだけでよいので、ハーネスをハーネス取付部に取り付ける際の作業性を向上させることができる。
【００１３】
また、結束部材は、ハーネス結束部材によって束ねられた第１被結束部及び第２被結束部とハーネス取付部とに、ハーネス結束部材の外側から巻き付けられる。すなわち、ハーネスと結束部材との間にハーネス結束部材を介在させることができるので、ハーネス結束部材によってハーネスを結束部材から保護することができる。
【発明の効果】
【００１４】
本発明によれば、結束部材の緩みを抑えることができ、且つハーネスの配索領域の拡大を防止することができる。
【図面の簡単な説明】
【００１５】
【図１】本発明の一実施形態に係るハーネス取付構造の外観図である。
【図２】図１のハーネス取付構造の分解図である。
【発明を実施するための形態】
【００１６】
以下、本発明の一実施形態を図面に基づいて説明する。なお、以下の説明において、上下方向は、図１及び図２の上下方向に対応する。
【００１７】
図１及び図２に示すように、本実施形態に係るハーネス取付構造１０は、ブラケット１１とハーネス１２と結束バンド（結束部材）１３とを備える。
【００１８】
ブラケット１１は、図示しない被支持部材（例えば、車載部品）を図示しない支持部材（例えば、車体）側に固定するためのブラケット１１であって、所定方向（本実施形態では、上下方向）に直線状に延びる棒状のハーネス取付部１４を有する。
【００１９】
ハーネス１２は、ブラケット１１のハーネス取付部１４に対して直交する方向（以下、配索方向という。）にハーネス取付部１４と交叉して配策される。ハーネス１２は、ハーネス取付部１４よりも一側（配索方向の一側）からハーネス取付部１４へ向かって延びる一側線状部（第１線状部）１５と、ハーネス取付部１４よりも他側（配索方向の他側）からハーネス取付部１４へ向かって延びる他側線状部（第２線状部）１６と、一側線状部１５と他側線状部１６との間の中間線状部１７とを一体的に有する。一側線状部１５の他側の端部１５ａ（以下、他端部１５ａという）は、ハーネス取付部１４の近傍に配置される。他側線状部１６の一側の端部１６ａ（以下、一端部１６ａという）は、ハーネス取付部１４の近傍に配置される。一側線状部１５と他側線状部１６とは、後述する結束バンド１３に対して上記所定方向の同じ側（本実施形態では、上側）で、ハーネス取付部１４に対して直交する略同一直線上に配置される。中間線状部１７は、一側線状部１５の他端部１５ａから曲折してハーネス取付部１４に沿って下方へ延びる第１被結束部１８と、第１被結束部１８の下端を略Ｕ状に折り返した折り返し部１９と、他側線状部１６の一端部１６ａから曲折してハーネス取付部１４に沿って下方へ延びて折り返し部１９に連続する第２被結束部２０とを一体的に有する。第１被結束部１８と第２被結束部２０とは、ハーネス１２をハーネス取付部１４に取り付ける前に、互いに並行した状態でテープ（ハーネス結束部材）２１が巻き付けられて予め束ねられている（図２参照）。なお、第１被結束部１８と第２被結束部２０とを固定するハーネス結束部材は、テープ２１に限定されず、予めハーネス１２側を束ねることが可能であれば、紐、結束バンド、輪ゴム、クリップなどであってもよい。
【００２０】
結束バンド１３は、ハーネス１２の第１被結束部１８及び第２被結束部２０のうちテープ２１が巻き付けられた領域と、ブラケット１１のハーネス取付部１４とに、テープ２１の外側から帯状に巻き付けられた状態で、第１被結束部１８、第２被結束部２０及びハーネス取付部１４を締め付けて、第１被結束部１８及び第２被結束部２０をハーネス取付部１４に結束する。
【００２１】
上記のように構成されたハーネス取付構造１０では、第１被結束部１８と第２被結束部２０とハーネス取付部１４とが略同一方向（所定方向）に沿って延び、結束バンド１３が第１被結束部１８と第２被結束部２０とハーネス取付部１４とに巻き付けられる。このように、略同一方向に沿って延びる第１被結束部１８と第２被結束部２０とハーネス取付部１４とに結束バンド１３を巻き付けるので、結束バンド１３が緩み難い。
【００２２】
また、一側線状部１５と他側線状部１６とは、結束バンド１３よりも上側（上記所定方向の一側）でハーネス取付部１４に対して直交する略同一直線上に配置されるので、ハーネス１２の配索領域の上記所定方向への拡大を抑えることができ、周辺部品とハーネス１２との干渉を防止することができる。
【００２３】
従って、本実施形態によれば、結束バンド１３の緩みを抑えることができ、且つハーネス１２の配索領域の拡大を防止することができる。
【００２４】
また、ハーネス１２の第１被結束部１８と第２被結束部２０とは、ハーネス１２をハーネス取付部１４に取り付ける前に、互いに並行した状態でテープ２１によって予め束ねられている。このため、結束バンド１３によってハーネス１２をハーネス取付部１４に取り付ける際には、例えば、ハーネス１２の一部をＵ字状に折り曲げて、その状態（第１被結束部１８及び第２被結束部２０を形成した状態）を保持しつつ結束バンド１３によって結束する場合とは異なり、予め束ねられた第１被結束部１８及び第２被結束部２０を結束バンド１３によってハーネス取付部１４に結束するだけでよいので、ハーネス１２をハーネス取付部１４に取り付ける際の作業性を向上させることができる。
【００２５】
また、結束バンド１３は、ハーネス１２の第１被結束部１８及び第２被結束部２０のうちテープ２１が巻き付けられた領域に巻き付けられる。すなわち、ハーネス１２と結束バンド１３との間にテープ２１が介在するので、テープ２１によってハーネス１２を結束バンド１３から保護することができる。
【００２６】
なお、本実施形態では、ハーネス取付部１４を、被支持部材（図示省略）を支持部材（図示省略）側に固定するためのブラケット１１に設けたが、これに限定されるものではない。例えば、ハーネス１２を支持部材（図示省略）側に固定するためのブラケットにハーネス取付部１４を設けてもよいし、或いは、ブラケットではなく、他の装置の一部をハーネス取付部１４としてもよい。
【００２７】
また、本実施形態では、一本のハーネス１２をハーネス取付部１４に取り付けたが、複数本のハーネス１２をハーネス取付部１４に取り付けてもよい。
【００２８】
また、本実施形態では、ハーネス１２の中間線状部１７は、第１被結束部１８と第２被結束部２０との間に一カ所の折り返し部１９を設けたが、これに限定されるものではない。例えば、中間線状部１７は、第１被結束部１８と第２被結束部２０との間で複数回折り返された状態で、ハーネス取付部１４に取り付けられてもよい。この場合であっても、一側線状部１５と他側線状部１６とが結束バンド１３に対して上記所定方向の同じ側に配置される。
【００２９】
また、本実施形態では、ハーネス１２の第１被結束部１８と第２被結束部２０とを束ねて固定するテープ２１を設けたが、テープ２１を設けることなく、第１被結束部１８と第２被結束部２０とを結束バンド１３によって直接的にハーネス取付部１４に結束してもよい。
【００３０】
また、本実施形態では、一本の帯状になるように結束バンド１３を巻き付けたが、上記所定方向に拡がるように幅広に結束バンド１３を巻き付けてもよい。また、本実施形態では、第１被結束部１８及び第２被結束部２０をハーネス取付部１４に結束する結束部材として、結束バンド１３を用いたが、これに限定されるものではなく、第１被結束部１８及び第２被結束部２０を、他の部材（紐、結束バンド、輪ゴムなど）によってハーネス取付部１４に結束してもよい。
【００３１】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【符号の説明】
【００３２】
１０：ハーネス取付構造
１１：ブラケット
１２：ハーネス
１３：結束バンド（結束部材）
１４：ハーネス取付部
１５：一側線状部（第１線状部）
１６：他側線状部（第２線状部）
１７：中間線状部
１８：第１被結束部
２０：第２被結束部
２１：テープ（ハーネス結束部材）
【図１】
2018113789.tif 000003
【図２】
2018113789.tif 000004